(57)【要約】【課題】ブラシ毛材の広がりの抑制、ブラシ毛材が折れた場合のその飛散の抑制、ブラシ毛材の耐久性の維持、良好な取扱い性及び軽量化を両立することができるブラシカバー及び研磨ブラシを提供する。【解決手段】ブラシカバー１４は、紙類材料又は不織布からなると共に、砥粒を含まない。また、ブラシカバー１４は、ワークとの接触により消耗され得るブラシ毛材２０を複数本有するブラシ束２２の外周を覆う。そして、ブラシカバー１４は、ブラシ毛材２０の消耗とともに消耗される。【選択図】図１
2020104245.tif 000002
【特許請求の範囲】
【請求項１】
紙類材料又は不織布からなると共に、砥粒を含まず、
ワークとの接触により消耗され得るブラシ毛材を複数本有するブラシ束の外周を覆い、前記ブラシ毛材の消耗とともに消耗される、ブラシカバー。
【請求項２】
前記ブラシ束の外周の少なくとも一部に接着剤によって接着される、請求項１に記載のブラシカバー。
【請求項３】
前記ブラシ束は、先端側がワークと接触可能に構成されており、
当該ブラシカバーは、前記ブラシ束の外周の少なくとも基端側部分に接着剤によって接着される、請求項２に記載のブラシカバー。
【請求項４】
前記ブラシ束は、先端側がワークと接触可能に構成され、かつ、基端側が保持部材により保持されており、
当該ブラシカバーは、前記保持部材に接着剤によって接着される、請求項１又は２に記載のブラシカバー。
【請求項５】
前記ブラシ束は、前記ブラシ毛材を二本以上束ねてなる毛束を複数有し、かつ、当該複数の毛束を集合的に配置してなり、
当該ブラシカバーは、前記複数の毛束の各外周部分のうち、前記ブラシ束の外周を構成する部分を覆う、請求項１に記載のブラシカバー。
【請求項６】
当該ブラシカバーは、前記複数の毛束の各外周部分のうち、前記ブラシ束の外周を構成する部分に接触する、請求項５に記載のブラシカバー。
【請求項７】
当該ブラシカバーは、前記複数の毛束の各外周部分のうち、前記ブラシ束の外周を構成する部分以外の部分には対向しない、請求項５又は６に記載のブラシカバー。
【請求項８】
前記各毛束は、先端側がワークと接触可能に構成され、かつ、基端側が保持部材により保持されており、
当該ブラシカバーは、
前記保持部材と、
前記複数の毛束の各外周部分のうち、前記ブラシ束の外周の基端側を構成する部分と、
の少なくとも一方に接着剤によって接着される、請求項５から７のいずれか一項に記載のブラシカバー。
【請求項９】
当該ブラシカバーは、筒状に形成されている、請求項１から８のいずれか一項に記載のブラシカバー。
【請求項１０】
前記紙類材料は、その原料となる繊維として、樹の幹、樹の皮及びセルロースナノファイバーの少なくとも一つを含む、請求項１から９のいずれか一項に記載のブラシカバー。
【請求項１１】
前記紙類材料は、無機短繊維を添加されている、請求項１から１０のいずれか一項に記載のブラシカバー。
【請求項１２】
当該ブラシカバーの外周面には、文字、図形、記号及び絵の少なくとも一つが印刷されている、請求項１から１１のいずれか一項に記載のブラシカバー。
【請求項１３】
前記ブラシ束と、
前記ブラシ束の外周を覆う請求項１から１２のいずれか一項に記載のブラシカバーと、を備えた、研磨ブラシ。
【請求項１４】
プログラム制御された自動機械に取り付けて使用することができる、請求項１３に記載の研磨ブラシ。
【発明の詳細な説明】
【技術分野】
【０００１】
本発明は、ブラシカバー及び研磨ブラシに関する。
【背景技術】
【０００２】
工業用ブラシはその目的によって、洗浄、清掃、研削、表面研磨などあらゆる産業分野で利用されている（例えば特許文献１〜８参照）。従来の回転式の工業用ブラシでは、複数本のブラシ毛材を覆うブラシホルダが用いられることがある。このブラシホルダの使用目的は、主として、第１に、回転およびワークへの押しつけによってブラシ毛材が広がることを抑制することであり、第２に、折れたブラシ毛材が回転操作によって飛散することを抑制することである。
【０００３】
この種のブラシホルダとして、金属製のものが知られている（例えば特許文献３参照）。ブラシ毛材の先端側をブラシホルダから露出させて使用するが、金属製の場合、ブラシ毛材の性状によっては、ブラシ毛材の広がりを抑制する際にブラシホルダから受ける接触圧によって、ブラシ毛材の耐久性が低下するおそれがある。また、ブラシホルダ自体の重量が大きくなるため、ブラシホルダをチャッキングする機械に大きな負荷がかかるおそれがある。
【０００４】
ブラシホルダの代わりに、ブラシカバーを用いることも提案されている（例えば特許文献４〜６参照）。しかし、特許文献４に記載される網状のブラシカバーでは、折れたブラシ毛材がブラシカバーの網の目から飛び出すおそれがあり、ブラシホルダの主目的の一つを達成できない。また、特許文献５及び６に記載される弾性材料からなるブラシカバーでは、ブラシ毛材の消耗に伴い、ブラシカバーの交換が必要となるなど、取扱い性が悪い。また、軽量化に対する要求もある。
【０００５】
ブラシカバーとして、シート部材を用いたものも知られている（例えば特許文献７及び８参照）。例えば、特許文献７では、一本の棒状体の周囲をシート部材で覆うことでブラシ毛を作成する。しかし、この作成時に、同様の処理を大量の棒状体に対して行う必要があるため、製造効率が悪い。また、シート部材に砥粒が含まれているため、その分、重量が大きくなる。
【先行技術文献】
【特許文献】
【０００６】
【特許文献１】特開２００１−２８７１６８
【特許文献２】特開平６−１７０７１９
【特許文献３】特公平５−５３５８３号
【特許文献４】実全昭５６−００２８３３
【特許文献５】特開昭５５−１６３００７
【特許文献６】特開２０１６−１６３９２７
【特許文献７】特開２０１１−２３９９２８
【特許文献８】特開２０１２−００６１１７
【発明の概要】
【発明が解決しようとする課題】
【０００７】
本発明は、ブラシ毛材の広がりの抑制、ブラシ毛材が折れた場合のその飛散の抑制、ブラシ毛材の耐久性の維持、良好な取扱い性及び軽量化を両立することができるブラシカバー及び研磨ブラシを提供することを目的とする。
【課題を解決するための手段】
【０００８】
本発明の一態様に係るブラシカバーは、紙類材料又は不織布からなると共に、砥粒を含まず、ワークとの接触により消耗され得るブラシ毛材を複数本有するブラシ束の外周を覆い、ブラシ毛材の消耗とともに消耗されるものである。
【０００９】
本発明の一態様に係る研磨ブラシは、ワークとの接触により消耗され得るブラシ毛材を複数本有するブラシ束と、ブラシ束の外周を覆う上記一態様に係るブラシカバーと、を備える。
【００１０】
これらの態様によれば、ブラシカバーがブラシ束の外周を覆うため、従来の金属製のブラシホルダと同様に、ブラシ毛材の広がりを抑制することができると共に、ブラシ毛材が折れた場合にそれが飛散するのを抑制することができる。また、ブラシカバーが紙類材料又は不織布からなり、しかも、砥粒を含まないため、従来の金属製のブラシホルダと比べて、ブラシカバーの軽量化を図ることができる。さらに、ブラシカバーは、ブラシ毛材の消耗とともに消耗されるため、使用に伴ってブラシカバーの交換をする必要がないなど、取扱い性も良好である。加えて、ブラシカバーが紙類材料又は不織布からなるため、ブラシ毛材の広がりを抑制する際に、従来の金属製のブラシホルダのような接触圧をブラシ毛材に与えずに済むため、ブラシ毛材の耐久性の低下を抑制することができる。
【図面の簡単な説明】
【００１１】
【図１】実施形態に係るブラシカバーを備えた研磨ブラシを回転駆動装置にチャッキングした状態の一例を示す斜視図である。
【図２】図１とは異なるタイプの研磨ブラシの斜視図である。
【図３】図２のIII-III線に沿った断面図である。
【発明を実施するための形態】
【００１２】
実施形態に係るブラシカバーは、紙類材料又は不織布からなると共に、砥粒を含まず、ワークとの接触により消耗され得るブラシ毛材を複数本有するブラシ束の外周を覆い、ブラシ毛材の消耗とともに消耗されるものである。ここで、ブラシ束は、一つの束であってもよい。別の態様では、ブラシ束は、ブラシ毛材を二本以上束ねてなる毛束を複数有し（なお、図１〜３では毛束が５個の場合を例示している。）、かつ、当該複数の毛束を集合的に配置してなるものであってもよい。また、ブラシ束は、先端側がワークと接触可能に構成され、かつ、基端側が保持部材により保持されるものであってもよい。
【００１３】
・ブラシカバーの紙類材料について
ブラシカバーは、例えば、シート状又はフィルム状の紙類材料を筒状（円筒状又は角筒状）に形成することで構成される。紙類材料は、薄くて丈夫なものであるとよい。厚すぎると、ブラシカバーの重量が増すからである。また、丈夫さ、すなわち一定の強度が求められるのは、ブラシカバーが、ブラシ毛材の広がりを抑制し、かつ、仮にブラシ毛材が折れた場合にも、折れたブラシ毛材の飛散を防止する役割を果たすためである。このような紙類材料としては、金属や合成樹脂に比べて安価かつ加工容易な材料、例えば、洋紙、和紙又はセロハンなどを選択可能であるが、この中でも和紙がよい。和紙は、紙の繊維同士の結合が疎であるため、ブラシ毛材による研磨に悪影響を与えないからである。また、紙類材料として、薄くて丈夫な特性に加えて、粘着性を有するものを用いてもよく、そのようなものとして、例えばマスキングテープを使用することができる。ブラシカバーの厚さは、紙類材料の素材によって異なるが、例えば線材束の短径の０．２倍以上１．０倍未満であれば、ブラシ毛材の広がりの抑制と折れた場合の飛散の抑制とを図る観点で有益となる。なお、ブラシカバーの厚さを調整することによって、研磨ブラシとしてのブラシの腰の強さを調整できる。
【００１４】
紙類材料の原料となる繊維としては、樹の幹、樹の皮、及びセルロースナノファイバーの少なくとも一つが含まれるとよい。ブラシカバーの強度向上を図ることができるとともに、ブラシカバーの廃棄時のリサイクル性が向上し、環境への配慮を高めることができるからである。また、ブラシカバーは、タングステンカーバイドなどの砥粒を含まない。砥粒を含まないために、ブラシカバーは軽量化される。
【００１５】
ブラシ使用時に研削液などが使用される場合には、重量の増加に留意した上で紙類材料の表面に樹脂等を用いて含浸、被覆処理したものを用いるとよい。こうすることで、研削液に濡れた場合の強度向上を図ることができる。被覆処理に使用する樹脂は、強度維持可能なものであればよく、特に限定されない。一方、濡れた場合の強度よりも重量の抑制を重視する場合には、被覆処理を省略するとよい。また、ブラシカバーに伸縮する機能を付与したい場合には、紙類材料に弾性材料を添加してもよい。ただし、そのような機能が必要でない場合には、材料コスト及び工数を増加させないために、弾性材料の添加を省略するとよい。
【００１６】
ブラシカバーに強度及び研磨効果を付与したい場合には、紙類材料に無機短繊維を添加するとよい。紙類材料の強度特性を維持可能な範囲で無機短繊維を添加することで、強度及び研磨効果の向上と重量増加の抑制とを同時に達成することができる。無機短繊維の添加形態としては、紙類材料の特性を損なわない方法であればよく、無機短繊維自体を混入、または無機短繊維を添加した液体を接着、溶着、めっきするなどの方法をとることができる。
【００１７】
ブラシカバーには、文字、図形、記号及び絵の少なくとも一つを印刷してもよい。特に、紙類材料のブラシカバーでは、金属や、プラスチック、繊維強化プラスチックなどの材料に比べ、鮮明且つ精細な印刷が可能となる。
【００１８】
・ブラシカバーの他の材料について
紙類材料に代えて、不織布を用いてもよい。ただし、この場合も、重量を考慮し、薄いものが用いられるとよい。
【００１９】
・ブラシ毛材について
ブラシ毛材としては、金属材料、無機長繊維又は合成樹脂繊維などからなる線材を用いることができ、軽量化を図る観点からは、砥粒を含まない軽量材質を用いるとよい。ブラシ毛材は、例えば、樹脂を含浸した後硬化させた無機長繊維からなる線材である。その一例を挙げると、アルミナ長繊維などの無機長繊維の集合糸にバインダー樹脂を含浸した後、硬化させたものである。
【００２０】
・ブラシ束について
ブラシ束は、ブラシ毛材を複数本有する。このようなブラシ束は、ブラシ毛材を二本以上束ねてなる毛束を複数有し、かつ、この複数の毛束を集合的に配置してなるものであってもよい。ブラシ束又は毛束に含まれるブラシ毛材は、１種類の線材からなるものであってもよいし、複数種類の線材からなるものであってもよい。例えば、樹脂を含浸した後で硬化させた無機長繊維からなる線材と、紙類材料又は合成樹脂からなる線材とを組み合わせたものであってもよい。毛束の数は、２以上であればよく、好ましくは４以上である。複数の毛束は、研磨ブラシの回転中心を中心として環状に配置されるとよい。例えば、毛束の数が４個である場合は毛束の中心を９０度ずつずらして配置し、また、毛束の数が５個である場合は毛束の中心を７２度ずつずらして配置すればよい。
【００２１】
・保持部材について
保持部材は、ブラシ束の基端側を保持する。ブラシ束の先端側は、自由端側であり、使用時にワークに接触される。保持部材は、例えば、金属製の円筒状又は円柱状からなる。保持部材は、例えば接着剤を利用して、ブラシ束の基端側を保持部材に固着する。ブラシ束が複数の毛束を有するものである場合、保持部材は、例えば、各毛束の基端側を個々に又はいくつかをまとめて挿入可能な複数の保持部を有するとよい。毛束は、基端側が保持部に挿入され、保持部の内壁に接着剤で固着される。このような保持部は、保持部材の端面に形成された穴状又は溝状の部位とすることができる。この穴の形状としては、毛束の形状に対応させるように、円形、楕円形、長円形、四角形、三角形、星形など、公知な形状を選択できる。溝の形状としては、直線状、曲線状、ギザギザな形状、折れ線状、広がった部分と狭くなった部分が連続する形状など、公知の形状を選択できる。溝状の保持部に複数の毛束を挿入する場合、複数の毛束を離間させて保持することも可能であるし、連続して保持することも可能であるし、この両者を組み合わせることも可能である。また、保持部材は、軸付きのもの（いわゆるエンド型）であってもよいし、軸なしのもの（いわゆるカップ型）のいずれであってもよい。なお、本明細書において、保持部材の端面とは、円柱状の保持部材においては断面が円を示す面でブラシ束の基端側を挿入する側の面をいい、保持部材の側面とは、円柱状の保持部材の断面が円を示す面を底面とした場合の側面をいう。円筒状の保持部材においても同様に定義するものとする。
【００２２】
・ブラシカバーとブラシ束との関係について
ブラシカバーは、ブラシ束の外周を覆う。ブラシ束が複数の毛束を有する場合、ブラシカバーは、各毛束の外周寄りの部分を、ブラシの全周にわたって覆う。すなわち、ブラシカバーは、この複数の毛束の各外周部分のうち、ブラシ束の外周を構成する部分を覆う。ここで、ブラシ束の外周を構成する部分は、ブラシ束全体としてみたときに、その全体構成（ブラシ）としての外周側に位置するブラシ毛材によって構成される部分であり、当該ブラシ毛材は、各毛束の外周を構成するブラシ毛材の一部となる。ブラシカバーは、各毛束の中心寄りの部分には対向しない。すなわち、ブラシカバーは、複数の毛束の各外周部分のうち、ブラシ束の外周を構成する部分以外の部分には対向しない。したがって、複数の毛束中の、ブラシ束の外周寄りの部分のブラシ毛材は、その自由端をブラシカバーによって広がることを抑制される一方、ブラシカバーに対向しないブラシ束の中心寄りの部分のブラシ毛材は、外部から力を加えられた際にその自由端がブラシカバーに抑制されずに動くことが可能となる。このような構成のため、ブラシの調整が容易に可能となる。ここで、ブラシの調整とは、ブラシの腰の強さや、ブラシ毛材の動きを抑制したり、抑制しなかったりすることによってブラシ束に特徴的な挙動をもたらすことを可能とすることを含む。
【００２３】
ブラシカバーは、少なくとも一部がブラシ束の外周に接してこれを覆ってもよいし、全部がブラシ束の外周に接することなくこれを覆ってもよい。これは、ブラシ束が複数の毛束を有する場合も、そうでない場合も同じである。まず、ブラシカバーがブラシ束に接することなくブラシ束の外周を覆うようにする方法としては、例えば、保持部材の側面にブラシカバーの内面を接着する方法をとることができる。一例を挙げると、保持部材が円筒状又は円柱状からなる場合、保持部材の周面にブラシカバーの基端側内周面を接着剤によって接着する。このようにして接着されたブラシカバーは、その先端側内周面からその接着領域の直前までは、ブラシ束の外周に対して隙間を存して対向することになる。すなわち、非接触となる。接着剤としては、弱粘性のものを用いることができ、また、研磨において研削液を用いない場合には、水溶性接着剤が使用可能である。水中分散性の接着剤を用いた場合には、紙再生処理時の障害を回避することができる。
【００２４】
次に、ブラシカバーがブラシ束に接してブラシ束の外周を覆うようにする方法としては、保持部材と、ブラシ束の外周の少なくとも基端側部分との少なくとも一方にブラシカバーを接着する方法をとることができる。例えば、保持部材の側面にブラシカバーの内面を接着しつつも、ブラシカバーのその他の内面（先端側内周面から接着領域の直前まで）の一部または全部をブラシ束の外周に接触させることができる。あるいは、ブラシカバーを保持部材には接着させず、ブラシカバーをブラシ束の外周の基端側部分に接着させ、ブラシカバーのその他の内面の一部または全部をブラシ束の外周に接触させることができる。
【００２５】
ブラシ束及び／又は保持部材に対するブラシカバーの接着に関して、その接着領域や接着強度は、目的に応じて選択することができる。例えば、ブラシ全体の強度を重視する場合には、ブラシ束への接着領域を増やす一方、ブラシ全体の強度よりもブラシ束の腰の強さの調整を重視する場合には、ブラシ束への接着領域を減らす。接着領域を最大限に増やす方法としては、ブラシ束の外面全体にブラシカバーを接着させる方法をとることができる。接着領域を最小限に減らす方法としては、ブラシ束への接着をなくすという方法であり、この場合は、ブラシカバーの基端側部分を保持部材に接着させる。また、強度と腰の強さのバランスを調整した状態とする場合には、ブラシカバーをブラシ束に部分的に接着させる方法を選択できる。ブラシカバーをブラシ束に接着剤で接着させる場合、接着剤としては、弱粘性のものを用いるとよい。こうすることで、使用時にブラシ束（複数の毛束）が接着したり離れたりするなど、ブラシカバー内で動くことが可能となるため、ブラシの腰の強さを細かく調整することが可能となる。
【００２６】
続いて、添付図面を参照して、実施形態に係るブラシカバーを備えた研磨ブラシの一例を説明する。なお、各図において、同一の符号を付したものは、同一の又は同様の構成を有する。
【００２７】
図１〜３に示すように、研磨ブラシ１０は、ブラシ本体１２及びブラシカバー１４を備えている。ブラシ本体１２は、ワークとの接触により消耗され得るブラシ毛材２０を複数本有するブラシ束２２と、ブラシ束２２の基端側を保持する保持部材２４と、を備えている。ブラシ束２２は、ブラシ毛材２０を二本以上束ねてなる毛束２６を５つ有し、かつ、この５つの毛束２６を集合的に配置してなる。５つの毛束２６のより詳細な配置は、研磨ブラシ１０の回転中心を中心として５つの毛束２６の各々の中心を７２度ずつずらして環状に配置したものである。保持部材２４は、円柱部３０を有しており、この円柱部３０の一方の端面に各毛束２６の基端部を挿入し保持するための穴状の保持部が５つ形成されている。保持部材２４をいわゆるエンド型で構成する場合、図１に示すように、円柱部３０の他方の端面の中央には軸３２が設けられ、この軸３２が回転駆動装置１００のチャック部１１０に連結される。一方、保持部材２４をいわゆるカップ型で構成する場合、例えば図３に示すように、円柱部３０の中心にシャンク挿入用の穴３４が形成される。
【００２８】
ブラシカバー１４は、円筒状に形成されており、ブラシ束２２の外周を覆う。ブラシカバー１４は、紙類材料からなり、砥粒を含んでいない。ブラシカバー１４は、保持部材２４から突出しているブラシ束２２の部分（以下「突出部分」という。）の長さと同じ長さだけ延在している。したがって、ブラシカバー１４はブラシ束２２の突出部分の外周をすべて覆っており、ブラシカバー１４の先端とブラシ束２２の先端とは同一平面上に位置している。研磨等による使用に伴って、ブラシカバー１４の先端は、ブラシ毛材２０の先端と一緒に消耗（摩耗）される。また、ブラシカバー１４は、円筒状の内面全体に弱粘性接着剤が塗布されており、この弱粘性接着剤を介してブラシ束２２の外周に接着している。より詳細には、ブラシカバー１４は、５つの毛束２６の各外周部分のうち、ブラシ束２２の外周を構成する部分のブラシ毛材２０に接着している。ブラシカバー１４は、５つの毛束２６の中心寄りの部分（ブラシ束２２の外周を構成する部分以外の部分）には対向せず、接触していない。
【００２９】
以上説明したブラシカバー１４でブラシ束２２の外周を覆った研磨ブラシ１０を回転式工業ブラシとして用いることで、従来の金属製や合成樹脂製のブラシホルダを用いた回転式工業用ブラシと同等の研磨、研削性能を発揮することができる。のみならず、ブラシカバー１４がブラシ束２２の外周を覆うため、従来の金属製のブラシホルダと同様に、ブラシ毛材２０の広がりを抑制することができると共に、ブラシ毛材２０が折れた場合にそれが飛散するのを抑制することができる。加えて、ブラシカバー１４が紙類材料からなり、しかも、砥粒を含まないため、従来の金属製のブラシホルダと比べて、ブラシカバー１４の軽量化を図ることができる。さらに、紙類材料からなるブラシカバー１４は、ブラシ毛材２０の消耗とともに消耗されるため、使用に伴ってブラシカバー１４の交換をする必要がないなど、取り扱い性が良好となる。また、ブラシカバー１４が紙類材料からなるため、ブラシ毛材２０の広がりを抑制する際に、従来の金属製のブラシホルダのような接触圧をブラシ毛材２０に与えずに済むため、ブラシ毛材２０の耐久性の低下を抑制することができる。
【００３０】
続いて、実施形態に係る研磨ブラシ１０と比較例に係る研磨ブラシに対して行った研磨試験について説明する。
【００３１】
［実施例１］
・ブラシ本体について
繊維径１５ミクロンの無機長繊維に熱硬化性樹脂を含浸させた線材を、断面が短径０．５ｍｍ、長径１ｍｍの楕円形状となるよう集合させた後、硬化させ、ブラシ毛材用の線材束とした。線材を線材束として集合させる際に撚りを加えることもでき、実施例１では３０ｍｍに１回撚られた線材束とした。この線材束を研磨に適した長さである１００ｍｍにカットした後、束ねてブラシ束の毛束とした。束ねる本数としては、４０本以上８０本以下が好適であるが、実施例１では６０本とした。毛束は５つ用意した。
【００３２】
毛束を保持する保持部材の材質としては、アルミニウムを用いた。また、保持部材の形状としては、直径及び高さがともに２５ｍｍの円柱で円の中心に直径１０ｍｍのシャンク挿入用の穴が開いたものを用いた。保持部材の端面に形成した穴状の保持部の形状として、短径５ｍｍ、長径９ｍｍ及び深さ１５ｍｍの長円状とし、短径を径方向とした。保持部の個数は５つで、隣接する保持部同士の離間距離は２ｍｍとした。各保持部にブラシ束の毛束をそれぞれ挿入した後、保持部内に接着剤を注入し、その後自然乾燥させてブラシ束の毛束を保持部材に固定した。使用された接着剤は、無機長繊維に熱硬化性樹脂を含浸させた後硬化させた線材、アルミニウムともに接着可能なものを用いた。
【００３３】
・ブラシカバーについて
幅５０ｍｍの弱粘性接着剤が塗布された市販のマスキングテープを用いてブラシ束の外周全周を覆うように２周巻くことで、ブラシカバーを作製した。ブラシ束中、５つの毛束の外周寄りの部分をブラシカバーと接着した。ブラシカバーの厚さは０．２ｍｍで、毛束の延在方向の重なった部分の長さは５ｍｍであった。
【００３４】
・研磨試験について
以上のようにして作成された研磨ブラシをマシニングマシンのシャンクに取り付け、ワークに対して研磨試験を行なった。研磨試験では、研削液を使用しなかった。
【００３５】
［実施例２−１］
実施例１と異なる点は、ブラシカバーに接着させる毛束の数である。具体的には、本実施例では、ブラシ束中、５つの毛束のうち、１つの毛束のみ、その外周寄りの部分をブラシカバーと接着した。
【００３６】
［実施例２−２］
実施例１と異なる点は、ブラシ束に含まれるブラシ毛材の材料である。具体的には、本実施例では、繊維径１５ミクロンの無機長繊維に熱硬化性樹脂を含浸させた線材を、３０ｍｍに１回撚った断面が短径０．５ｍｍ、長径１ｍｍの楕円形状とした後、硬化させた線材４８本と、市販の和紙を３０ｍｍに１回撚って作成した断面が短径０．５ｍｍ、長径１ｍｍの楕円形状の線材１２本をそれぞれ集合させ、１００ｍｍにカットした後、束ねてブラシ束の毛束とした。
【００３７】
［実施例２−３］
実施例２−２と異なる点は、ブラシカバーに接着させる毛束の数である。具体的には、本実施例では、ブラシ束中、５つの毛束のうち、１つの毛束のみ、その外周寄りの部分をブラシカバーと接着した。
【００３８】
［実施例２−４］
実施例２−２と異なる点は、ブラシ束に含まれるブラシ毛材の本数を逆にしたことである。具体的には、本実施例では、ブラシ束の毛束に含まれる無機長繊維に熱硬化性樹脂を含浸させた線材と市販の和紙からなる線材を集合させる際の本数について、前者を１２本、後者を４８本とした。
【００３９】
［実施例３−１］
実施例１と異なる点は、マスキングテープを巻く回数である。具体的には、本実施例では、マスキングテープを１周巻きとした。その結果、ブラシカバーの厚さは０．１ｍｍとなった。
【００４０】
［実施例３−２］
実施例１と異なる点は、マスキングテープを巻く回数である。具体的には、本実施例では、マスキングテープを４周巻きとした。その結果、ブラシカバーの厚さは０．５ｍｍとなった。
【００４１】
［実施例４］
実施例１と異なる点は、マスキングテープに縦横０．５ｍｍの略長方形の穴を開けたことである。
【００４２】
［実施例５］
実施例５では、保持部材をいわゆるエンド型として構成した。これに伴い、実施例１とはブラシ本体及びブラシカバーが異なっている。具体的には以下のとおりである。
【００４３】
・ブラシ本体について
繊維径１５ミクロンの無機長繊維に熱硬化性樹脂を含浸させた線材を、断面が短径０．５ｍｍ、長径１ｍｍの楕円形状となるよう集合させた後、硬化させ、ブラシ毛材用の線材束とした。線材を線材束として集合させる際に撚りを加え、実施例５では３０ｍｍに１回撚られた線材束とした。この線材束を研磨に適した長さである３０ｍｍにカットした後、束ねてブラシ束とした。束ねる本数は２０本とした。ブラシ束は１つ用意した。
【００４４】
ブラシ束を保持する保持部材の材質としては、アルミニウムを用いた。また、保持部材の形状としては、直径６ｍｍ及び高さ９ｍｍの円柱のものを用いた。保持部材の端面に形成した穴状の保持部の形状として、直径５ｍｍ及び深さ７ｍｍの円状とした。保持部の個数は１つとした。保持部にブラシ束を挿入した後、保持部内に接着剤を注入し、その後自然乾燥させてブラシ束を保持部材に固定した。使用された接着剤は、無機長繊維に熱硬化性樹脂を含浸させた後硬化させた線材、アルミニウムともに接着可能なものを用いた。
【００４５】
・ブラシカバーについて
幅２０ｍｍの弱粘性接着剤が塗布された市販のマスキングテープを用いてブラシ束の外周全周を覆うように２周巻くことで、ブラシカバーを作製した。ブラシカバーの厚さは０．２ｍｍであった。
【００４６】
［比較例１］
実施例１と異なる点は、ブラシカバーに代えて、アルミ製ブラシホルダを保持部材の側面にねじ止めして取り付け、それによりブラシホルダ付き研磨ブラシを作成した点である。
【００４７】
［比較例２］
実施例１と異なる点は、ブラシカバーをつけない研磨ブラシとした点である。
【００４８】
［比較例３］
実施例５と異なる点は、ブラシカバーに代えて、アルミ製ブラシホルダを使用した点である。具体的には、比較例３では、アルミ製ブラシホルダに、ブラシ束が接着固定された保持部材をかぶせて挿入後、保持部材をねじで固定し、それによりブラシホルダ付き研磨ブラシを作成した点である。
【００４９】
［比較例４］
実施例５と異なる点は、ブラシカバーをつけない研磨ブラシとした点である。
【００５０】
・研磨試験の評価
実施例１、２−１〜２−４、３−１〜３−２、４及び５並びに比較例１〜４に係る研磨ブラシについて、上述の研磨試験を行った。研磨試験の結果について、以下の表１に示す。また、表１で使用した評価基準（評価項目及び評価方法）を表２に示す。
【００５１】
・評価項目
評価項目は、試験後にワーク表面に発現した目立った傷跡の有無、ブラシの腰、ブラシ束又は毛束の腰、試験時に折れたブラシ毛材の飛散を防止できたか、の４項目とした。
【００５２】
・評価方法
試験後にワーク表面に発現した目立った傷跡の有無については、目視にて確認した。
ブラシ束又は毛束の腰の強さ、およびブラシの腰の強さについては、それぞれブラシ束又は毛束、およびブラシの先端を平滑な鉄板状にブラシ束の延在方向に平行な方向に５Ｎの力を手で加えた状態のまま金属板上で５ｍｍ移動させ、その感触を確認した。
飛散防止については、マシニングマシンに研磨ブラシを取り付け、摩耗試験時の飛散の有無を記録した。
【００５３】
【表１】
2020104245.tif 000003
【００５４】
【表２】
2020104245.tif 000004
【００５５】
以上の試験結果より、実施例に係る研磨ブラシによれば、金属製のブラシホルダ付き研磨ブラシ（比較例１及び３）と同等の研磨、研削性能を発揮し、ブラシ毛材の広がりと折れたブラシ毛材の飛散を防ぐことが確認された。また、実施形態に係るブラシカバーを用いることで、従来の金属製のブラシホルダーを用いた場合に比べて、ブラシの腰および線材束の腰の調整幅が広がる効果があるものと考えられる。
【００５６】
本実施形態に係るブラシカバーを有するブラシを用いることで、ブラシカバーを有しないブラシに比べて、ブラシ束の広がりが抑制される。ブラシの広がりが抑制されることは、近年、研磨・研削工程で採用されている自動機械（ＮＣ旋盤やマシニングマシンなど）のプログラム制御を容易にすることにも効果がある。すなわち、本実施形態に係るブラシカバーを備えた研磨ブラシは、プログラム制御された自動機に取り付けて使用することができ、そのプログラム制御を容易化する一助ともなる。
【００５７】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。
【符号の説明】
【００５８】
１０…研磨ブラシ、１２…ブラシ本体、１４…ブラシカバー、２０…ブラシ毛材、２２…ブラシ束、２４…保持部材、２６…毛束、３０…円柱部、３２…軸、３４…穴、１００…回転駆動装置、１１０…チャック部
【図１】
2020104245.tif 000005
【図２】
2020104245.tif 000006
【図３】
2020104245.tif 000007